(57)【要約】【課題】チケット画像のコピーによる不正使用を確実に防止し、認証コードによりチケット画面のデザインを損なわないようにする。【解決手段】チケット販売装置１０は、携帯電話１４からのチケット購入請求に対し代金引き落とし処理を完了した際に携帯電話の端末ＩＤ（電話番号）をチケットＩＤとして取得して電子的なチケット画像に埋め込んで携帯端末に転送する。またチケット画像に埋め込んだチケットＩＤに基づいた入場処理を実行するアプリケーションプログラムを携帯電話１４にロードする。入場管理装置２６は、携帯電話１４に起動コマンドを送信してアプリケーションプログラムを起動コマンドを動作させ、チケット画像に埋め込んでいるチケットＩＤと携帯電話１４の端末ＩＤ（電話番号）との一致による入場許可応答を受信した際に、入場ゲート３０を通行可能状態に制御する。【選択図】　　　　　図１
2004094468.tif 000002
【特許請求の範囲】
【請求項１】
携帯端末からのチケット購入要求に対し代金引き落とし処理を完了した際に、前記携帯端末の端末ＩＤを取得するＩＤ取得部と、
前記端末ＩＤをチケットＩＤとして電子的なチケット画像に埋め込んで前記携帯端末に送信するチケット発行部と、
前記チケット画像に埋め込んだチケットＩＤに基づいた入場処理を実行するアプリケーションプログラムを前記携帯端末にロードするプログラムロード部と、を備えたことを特徴とするチケット販売装置。
【請求項２】
チケットＩＤを埋め込んだ電子的なチケット画像を保存すると共に、前記チケット画像に埋め込んだチケットＩＤに基づいた入場処理を実行するアプリケーションプログラムをロードした携帯端末とのアクセスで入場を管理する入場管理装置に於いて、
前記携帯端末に対しアプリケーションプログラムの起動コマンドを送信するコマンド送信部と、
前記携帯端末におけるアプリケーションプログラムの実行による入場許可応答を受信した際に、入場ゲートを通行可能状態に制御するゲート制御部と、
を備えたことを特徴とする入場管理装置。
【請求項３】
チケット一連番号をステガノグラフィにより不可視の形で埋め込んだ電子的なチケット画像を保存した携帯端末とのアクセスで入場を管理する入場管理装置に於いて、
前記携帯端末の画面に表示されたチケット画像を読み取る画像読取部と、
前記読み取ったチケット画像にステガノグラフィにより埋め込まれている一連番号を復元する番号復元部と、
前記復元した一連番号が正しいことを認証して入場ゲートを通行可能状態に制御するゲート制御部と、
を備えたことを特徴とする入場管理装置。
【請求項４】
ＩＤ取得部により携帯端末からのチケット購入要求に対し代金引き落とし処理を完了した際に、前記携帯端末の端末ＩＤを取得するＩＤ取得ステップと、
チケット発行部により前記端末ＩＤをチケットＩＤとして電子的なチケット画像に埋め込んで前記携帯端末に送信するチケット発行ステップと、
プログラムロード部により前記チケット画像に埋め込んだチケットＩＤに基づいた入場処理を実行するアプリケーションプログラムを前記携帯端末にロードするプログラムロードステップと、
を備えたことを特徴とするチケット販売方法。
【請求項５】
コンピュータに、
携帯端末からのチケット購入要求に対し代金引き落とし処理を完了した際に、前記携帯端末の端末ＩＤを取得するＩＤ取得ステップと、
前記端末ＩＤをチケットＩＤとして電子的なチケット画像に埋め込んで前記携帯端末に送信するチケット発行ステップと、
前記チケット画像に埋め込んだチケットＩＤに基づいた入場処理を実行するアプリケーションプログラムを前記携帯端末にロードするプログラムロードステップと、
を実行させることを特徴とするプログラム。
【発明の詳細な説明】
【０００１】
【発明の属する技術分野】
本発明は、携帯電話、ＰＤＡなどの携帯端末により電子的なチケット画像を購入して入場するチケット販売装置、入場管理装置、方法及びプログラムに関し、特に、チケット画像にＩＤや一連番号をステガノグラフィにより不可視の形で埋め込んで利用するチケット販売装置、入場管理装置、方法及びプログラムに関する。
【０００２】
【従来の技術】
近年、コンサートや映画などのチケットシステムとして、チケット購入者の携帯電話の画面に表示されたチケット画像の２次元バーコードを読み取って入場させるものが知られている。
【０００３】
このチケットシステムの携帯電話を用いた処理の流れは次のようになる
（１）購入者が申し込む。
（２）当選者にチケットのＵＲＬを通知する。
（３）当選者はＵＲＬにアクセスしてチケット画像を取得する。
（４）会場入り口でチケット画像表示してチェックする。
【０００４】
また、２次元バーコード等による認証を行わず、購入したチケット画像を表示することにより、チケットの代替を行わせるシステムもある。
【０００５】
【発明が解決しようとする課題】
しかしながら、携帯電話等にチケット画像を表示させることで入場させるチケットシステムにあっては、購入したチケット画像を別の携帯電話にコピーすることで簡単に不正使用することができるという問題がある。
【０００６】
またチケット画面に２次元バーコードを表示している場合には、チケットのデザインを損なうという問題がある。
【０００７】
本発明は、チケット画像のコピーによる不正使用を確実に防止すると共に、認証コード等によりチケット画面のデザインを損なわないようにするチケット販売装置、入場管理装置、方法及びプログラムを提供することを目的とする。
【０００８】
【課題を解決するための手段】
（装置）
図１は本発明の原理説明図である。本発明は、チケット販売装置１０であり、図１（Ａ）に示すように、携帯端末（携帯電話１４）からのチケット購入要求に対し代金引き落とし処理を完了した際に、携帯端末の端末ＩＤを取得するＩＤ取得部３４と、端末ＩＤをチケットＩＤとして電子的なチケット画像に埋め込んで携帯端末に送信するチケット発行部３６と、チケット画像に埋め込んだチケットＩＤに基づいた入場処理を実行するアプリケーションプログラムを携帯端末にロードするプログラムロード部４０とを備えたことを特徴とする。
【０００９】
このように端末ＩＤをチケットＩＤとしてチケット画像に埋め込んでいるため、入場時のアプリケーションの実行で携帯端末内でチケットＩＤと端末ＩＤを比較することになるが、もし別の携帯端末にチケット画像を複製している場合には、購入時に取得した端末ＩＤであるチケットＩＤと入場時の複製先の端末ＩＤは一致せず、チケット画像の複製による不正使用を防止する。
【００１０】
チケット発行部３６は、端末ＩＤをステガノグラフィを用いて電子的なチケット画像に不可視の形で埋め込む。このためチケットＩＤ等の認証コードはチケット画面に表示されず、チケット画像のデザインを損なうことがない。
【００１１】
プログラムロード部４０により携帯端末にロードするアプリケーションプログラムは、外部からの起動コマンドを受けて動作し、チケット画像に埋め込まれたチケットＩＤと携帯端末の端末ＩＤを比較し、両者が一致した場合に入場許可応答を外部に送信する処理を実行する。
【００１２】
携帯端末は携帯電話１４であり、チケット発行部３６は、携帯電話の電話番号をチケットＩＤとして取得して電子的なチケット画像に埋め込む。
【００１３】
本発明は、チケットＩＤを埋め込んだ電子的なチケット画像を保存すると共に、チケット画像に埋め込んだチケットＩＤに基づいた入場処理を実行するアプリケーションプログラムをロードした携帯端末とのアクセスで入場を管理する入場管理装置２６を提供する。
【００１４】
この入場管理装置２６は、図１（Ｂ）のように、携帯端末に対しアプリケーションプログラムの起動コマンドを送信するコマンド送信部４６と、携帯端末におけるアプリケーションプログラムの実行による入場許可応答を受信した際に、入場ゲートを通行可能状態に制御するゲート制御部４８とを備えたことを特徴とする。
【００１５】
このため、入場時のアプリケーションの実行で携帯端末内でチケットＩＤと端末ＩＤを比較した際に、別の携帯端末から複製している場合には、購入時に取得した端末ＩＤであるチケットＩＤと入場時の複製先の端末ＩＤは一致せず、不正な入場を防止できる。
【００１６】
この入場管理装置２６は、更に、携帯端末にアプリケーションプログラムがロードされていないことを認識した場合、アプリケーションプログラムを携帯端末にロードした後にコマンド送信部４６に起動コマンドを送信させるプログラムロード部５０を設ける。このためチケット購入時にアプリケーションプログラムがロードされなかったり、途中で喪失した場合でも、入場場所においてアプリケーションプログラムを自動的にロードして対応できる。
【００１７】
本発明の別の形態のチケット販売装置にあっては、携帯端末からのチケット購入要求に対する代金引落し処理を完了した際に、所定のチケット一連番号を作成する番号作成部と、チケット一連番号をステガノグラフィにより不可視の形で電子的なチケット画像に埋め込んで携帯端末に転送するチケット発行部３６とを備えたことを特徴とする。
【００１８】
このためチケットＩＤ等の認証コードはチケット画面に表示されず、チケット画像のデザインを損なうことがない。またチケット画面に認証コードの表示がないことから、チケット画面を複製しても認証コードの複製の可否が判らないため、不正使用を思い留まることが期待できる。
【００１９】
このチケット販売装置に対応した入場管理装置の別の形態として本発明は、チケット一連番号をステガノグラフィにより不可視の形で埋め込んだ電子的なチケット画像を保存した携帯端末とのアクセスで入場を管理する入場管理装置を提供する。
【００２０】
この入場管理装置は、携帯端末の画面に表示されたチケット画像を読み取る画像読取部と、読み取ったチケット画像にステガノグラフィにより埋め込まれている一連番号を復元する番号復元部と、復元した一連番号が正しいことを認証して入場ゲートを通行可能状態に制御するゲート制御部とを備えたことを特徴とする。
【００２１】
（方法）
本発明は、チケット販売方法を提供する。このチケット販売方法は、
ＩＤ取得部により携帯端末からのチケット購入要求に対し代金引き落とし処理を完了した際に、携帯端末の端末ＩＤを取得するＩＤ取得ステップと、チケット発行部により端末ＩＤをチケットＩＤとして電子的なチケット画像に埋め込んで携帯端末に送信するチケット発行ステップと、プログラムロード部によりチケット画像に埋め込んだチケットＩＤに基づいた入場処理を実行するアプリケーションプログラムを携帯端末にロードするプログラムロードステップとを備えたことを特徴とする。
【００２２】
本発明は、このチケット販売装置に対応した入場管理方法を提供する。即ち、チケットＩＤを埋め込んだ電子的なチケット画像を保存すると共に、チケット画像に埋め込んだチケットＩＤに基づいた入場処理を実行するアプリケーションプログラムをロードした携帯端末とのアクセスで入場を管理する入場管理方法に於いて、
コマンド送信部により携帯端末に対しアプリケーションプログラムの起動コマンドを送信するコマンド送信ステップと、
ゲート制御部により携帯端末におけるアプリケーションプログラムの実行による入場許可応答を受信した際に、入場ゲートを通行可能状態に制御するゲート制御ステップと、
を備えたことを特徴とする。
【００２３】
またチケット販売方法の他の形態として本発明は、
番号作成部により携帯端末からのチケット購入要求に対する代金引落し処理を完了した際に、所定のチケット一連番号を作成する番号作成ステップと、
チケット発行部により前記チケット一連番号をステガノグラフィにより不可視の形で電子的なチケット画像に埋め込んで前記携帯端末に転送するチケット発行ステップと、
を備えたことを特徴とする。
【００２４】
本発明は、チケット一連番号をステガノグラフィにより不可視の形で埋め込んだ電子的なチケット画像を保存した携帯端末とのアクセスで入場を管理する入場管理方法を提供する。この入場管理方法は、
画像読取部により携帯端末の画面に表示されたチケット画像を読み取る画像読取ステップと、
番号復元部により読み取ったチケット画像にステガノグラフィにより埋め込まれている一連番号を復元する番号復元ステップと、
ゲート制御部により復元した一連番号が正しいことを認証して入場ゲートを通行可能状態に制御するゲート制御ステップと、
を備えたことを特徴とする。なお、前述した方法の詳細は、装置の場合と基本的に同じになる。
【００２５】
（プログラム）
本発明は、チケット販売のためのプログラムを提供する。このプログラムは、コンピュータに、
携帯端末からのチケット購入要求に対し代金引き落とし処理を完了した際に、携帯端末の端末ＩＤを取得するＩＤ取得ステップと、
端末ＩＤをチケットＩＤとして電子的なチケット画像に埋め込んで携帯端末に送信するチケット発行ステップと、
チケット画像に埋め込んだチケットＩＤに基づいた入場処理を実行するアプリケーションプログラムを携帯端末にロードするプログラムロードステップと、
を実行させることを特徴とする。
【００２６】
本発明は、入場管理のためのプログラムを提供する。即ち、本発明は、チケットＩＤを埋め込んだ電子的なチケット画像を保存すると共に、チケット画像に埋め込んだチケットＩＤに基づいた入場処理を実行するアプリケーションプログラムをロードした携帯端末とのアクセスで入場を管理するコンピュータに、
携帯端末に対しアプリケーションプログラムの起動コマンドを送信するコマンド送信ステップと、
るアプリケーションプログラムの実行による入場許可応答を受信した際に、入場ゲートを通行可能状態に制御するゲート制御ステップと、
を実行させることを特徴とする。
【００２７】
本発明は、チケット販売のプログラムの他の形態として、コンピュータに、
携帯端末からのチケット購入要求に対する代金引落し処理を完了した際に、所定のチケット一連番号を作成する番号作成ステップと、
チケット一連番号をステガノグラフィにより不可視の形で電子的なチケット画像に埋め込んで携帯端末に転送するチケット発行ステップと、
を本発明は、入場管理のためのプログラムの他の実施形態として、チケット一連番号をステガノグラフィにより不可視の形で埋め込んだ電子的なチケット画像を保存した携帯端末とのアクセスで入場を管理するコンピュータに、
携帯端末の画面に表示されたチケット画像を読み取る画像読取部と、
読み取ったチケット画像にステガノグラフィにより埋め込まれている一連番号を復元する番号復元ステップと、
復元した一連番号が正しいことを認証して入場ゲートを通行可能状態に制御するゲート制御ステップと、
を備えたことを特徴とする。なお、前述したプログラムの詳細は、装置の場合と基本的に同じになる。
【００２８】
【発明の実施の形態】
図２は、本発明によるチケット販売装置を備えたシステム環境の説明図である。図２において、本発明のチケット販売装置１０はインターネット及び携帯電話の無線ネットワークを含む通信ネットワーク１２に接続されたサーバで実現される。
【００２９】
このサーバで実現される本発明のチケット販売装置１０には、チケット販売処理部１６としての機能が設けられる。チケット販売処理部１６は、サーバ上にインターネットよりアクセス可能なホームページを構築しており、ユーザによるチケット購入要求を処理するようにしている。またチケット販売装置１０にはアプリケーション１８がチケット購入を行ったユーザにダウンロードするために保存されている。
【００３０】
本発明のチケット販売装置１０に対するアクセスは、通信ネットワーク１２を経由して適宜の端末から行うことができ、この実施形態にあっては携帯電話１４を使用する場合を例にとっている。本発明のチケット購入に使用する携帯電話１４は、ディスプレイ２０、操作部２２及びカメラ２４を有し、インターネット上のホームページにアクセス可能なＷＷＷブラウザの機能を備えている。
【００３１】
チケット販売装置１０は、携帯電話１４からのアクセス、具体的にはチケット販売装置を構築しているサーバのサイトに対するアクセスよりチケット購入申し込みがあると、チケット購入者の口座残高をチェックし、口座残高がチケット価格以上であれば口座引き落としを行う。
【００３２】
口座引き落としが済むと、チケット購入者の携帯電話１４の端末ＩＤ、具体的には電話番号を取得し、取得した電話番号をチケットＩＤとして電子的なチケット画像にステガノグラフィより複数の形で埋め込む。このようにチケットＩＤをステガノグラフィにより埋め込んだチケット画像をチケット購入者の携帯電話１４に送信して保存する。更にチケット画像に埋め込まれているチケットＩＤを使用した不可視の為の処理を実行するアプリケーション１８を送信して、携帯電話１４にダウンロードする。
【００３３】
図３は、本発明の入場管理装置を備えたシステム環境の説明図である。図３において、本発明の入場管理装置２６は、インターネット及び無線ネットワークを含む通信ネットワーク１２に接続されたサーバで実現され、入場管理処理部２８とアプリケーション１８を備えている。
【００３４】
また入場管理装置２６はイベント会場の入場ゲート３０を制御する。入場ゲート３０としては、ゲートの扉を遠隔操作により開閉する機構構造を備えたものや、ゲートに設けているロック機構の解除とセットを行うものなど適宜の入場ゲートの機構構造が利用できる。
【００３５】
入場管理装置２６は、図２のチケット販売装置１０に対するアクセスでチケットを購入したチケット購入者が保持している携帯電話１４とのアクセスにより入場管理を行う。
【００３６】
チケット購入者が入場ゲート３０から入場する際に、携帯電話１４から通信ネットワーク１２を介して入場管理装置２６のサイトにアクセスすると、入場管理装置２６から起動コマンド送信される。この入場管理装置２６の起動コマンドを受けて携帯電話１４は、既にダウンロードしているアプリケーション１８を起動し、ディスプレイ２０にチケット画像を表示する。
【００３７】
アプリケーション１８は、チケット画像に埋め込まれているチケットＩＤを復元し、次に携帯電話１４の端末ＩＤ、即ち電話番号を端末ＩＤとして読み出し、比較する。チケットＩＤと電話番号である端末ＩＤが一致した場合には正しいチケット購入者であることから、アプリケーション１８は入場管理装置２６に入場許可応答を行う。
【００３８】
この携帯電話１４からの入場許可応答を受けて入場管理装置２６は入場ゲート３０を開閉制御あるいはロック解除を行い、これによって携帯電話１４を保持しているチケット購入者は会場に入ることができる。
【００３９】
図２におけるチケット販売装置装置１０及び図３における入場管理装置２６は、例えば図４のようなコンピュータのハードウェア資源により実現される。
【００４０】
図４のコンピュータにおいて、ＣＰＵ１００のバス１０１にはＲＡＭ１０２、ハードディスクコントローラ（ソフト）１０４、フロッピィディスクドライバ（ソフト）１１０、ＣＤ−ＲＯＭドライバ（ソフト）１１４、マウスコントローラ１１８、キーボードコントローラ１２２、ディスプレイコントローラ１２６、通信用ボード１３０及びＩ／Ｏボード１３４が接続される。
【００４１】
ハードディスクコントローラ１０４はハードディスクドライブ１０６を接続し、葉チケット販売プログラム又は入場管理処理をローディングしており、コンピュータの起動時にハードディスクドライブ１０６から必要なプログラムを呼び出して、ＲＡＭ１０２上に展開し、ＣＰＵ１００により実行する。
【００４２】
フロッピィディスクドライバ１１０はフロッピィディスクドライブ（ハード）１１２が接続され、フロッピーディスク（Ｒ）に対する読み書きができる。ＣＤ−ＲＯＭドライバ１１４に対しては、ＣＤドライブ（ハード）１１６が接続され、ＣＤに記憶されたデータやプログラムを読み込むことができる。
【００４３】
マウスコントローラ１１８はマウス１２０の入力操作をＣＰＵ１００に伝える。キーボードコントローラ１２２はキーボード１２４の入力操作をＣＰＵ１００に伝える。ディスプレイコントローラ１２６は表示部１２８に対して表示を行う。通信用ボード１３０は無線を含む通信回線１３２を使用して他のコンピュータや携帯端末との間で通信を行う。
【００４４】
Ｉ／Ｏボード１３４は、外部の機器に対するに入出力制御を行うものであり、この実施形態にあっては、図３の入場ゲートを開閉制御するために使用する。
【００４５】
図５は、図２における本発明のチケット販売装置１０の実施形態を示した機能構成のブロック図である。図５において、チケット販売装置１０は、通信部３２、ＩＤ取得部３４、チケット発行部３６、チケット画像格納部３８、プログラムロード部４０及びアプリケーション格納部４２を備えている。
【００４６】
通信部３２、購入者が保持している携帯端末、例えば携帯電話との間の送受信を行う。ＩＤ取得部３４は通信部３２よりチケット購入者からのチケット購入要求に基づく口座残高引き落とし処理の終了結果が得られると、チケット購入者の携帯電話にアクセスしてその電話番号をチケットＩＤとして取得する。
【００４７】
チケット発行部３６は、チケット画像格納部３８から読み出したチケット画像にＩＤ取得部３４で取得したチケット購入者の電話番号であるチケットＩＤを埋め込む。このチケット画像に対するチケットＩＤの埋め込みはステガノグラフィにより不可視の形で埋め込む。
【００４８】
本発明の実施形態で使用するチケットＩＤのステガノグラフィによる埋め込み方法としては、例えば米国特許第５８４１９７８号に開示される方法を用いることができる。
【００４９】
また別のステガノグラフィの具体的な埋め込み方法として、例えば九州工業大学知識工学研究室にあってインターネット上に公開されている「電子あぶり出し」を使用することができる。（本願出願時点のＵＲＬは　ＨＹＰＥＲＬＩＮＫ　”ｈｔｔｐ：／／ｗｗｗ．ｋｎｏｗ．ｃｏｍｐ．ｋｙｕｔｅｃｈ．ａｃ．ｊｐ／ＢＰＣＳ／ｉｎｄｅｘ．ｈｔｍｌ”　ｈｔｔｐ：／／ｗｗｗ．ｋｎｏｗ．ｃｏｍｐ．ｋｙｕｔｅｃｈ．ａｃ．ｊｐ／ＢＰＣＳ／ｉｎｄｅｘ．ｈｔｍｌ　）
【００５０】
ステガノグラフィは画面で見られたくない秘密情報を別のデータの中に埋め込み、秘密情報の存在そのものを見えなくしてしまう技術である。九州工業大学知識工学研究室によるステガノグラフィは、多値画像のビットプレーン上の複雑な領域を秘密データに置き換えている。このようにして埋め込んだ秘密情報を復元するためには特別な鍵、実際にはプログラムを使用する。
【００５１】
もちろん本発明でチケットＩＤをチケット画像に埋め込むステガノグラフィの方法としては、これ以外の適宜の方法を用いることができる。
【００５２】
チケット発行部３６でステガノグラフィにより不可視の形でチケットＩＤを埋め込んだチケット画像は、通信部３２によりチケット購入者の携帯電話に送信して保存される。
【００５３】
またチケットＩＤの埋め込みが済んだチケット画像をチケット購入者の携帯電話に送信した後、プログラムロード部４０がアプリケーション格納部４２に格納されているアプリケーションプログラムを読み出し、チケット購入者の携帯電話にダウンロードする。
【００５４】
このアプリケーションプログラムはチケット画像に埋め込まれているチケットＩＤをステガノグラフィの復元方法より取り出す処理機能を備えている。
【００５５】
図６は、図５のチケット販売装置１０の実施形態によるチケット販売処理のフローチャートである。図６において、ステップＳ１でチケット購入者の携帯電話を使用したチケット販売装置となるサーバのサイトに対するアクセスで、チケットの購入申し込みがあると、ステップＳ２でチケット購入者の口座残高をチェックし、口座残高がチケット価格以上であれば、ステップＳ３に進み、チケット代金の口座引き落としを行う。一方、口座残高がチケット価格未満の場合にはステップＳ８でエラーメッセージを送信して処理を終了する。
【００５６】
ステップＳ３でチケット代金の引き落としが済むと、次のステップＳ４でチケット購入者の携帯電話番号を端末ＩＤとして取得し、これをチケットＩＤにセットする。
【００５７】
次にステップＳ５でステガノグラフィによりチケットＩＤをチケット画像に埋め込み、ステップＳ６でチケット画像をチケット購入者の携帯電話に送信する。最終的にステップＳ７でチケット画像に埋め込まれたチケットＩＤの復元に必要なアプリケーションプログラムをチケット購入者の携帯電話に送信する。
【００５８】
図７は、図５のチケット販売装置１０がチケット購入者の携帯電話にダウンロードするアプリケーションの処理手順を示したフローチャートである。このチケット購入者の携帯電話にダウンロードされるアプリケーションは、図３のように携帯電話１４を保持して、入場する際に起動コマンドを受けて動作する。
【００５９】
アプリケーションは、ステップＳ１で図３の入場管理装置２６からの起動コマンドの受信をチェックしており、起動コマンドを受信するとステップＳ２で携帯電話１４のディスプレイ２０にチケット画像を表示する。
【００６０】
続いてステップＳ３でチケット画像からステガノグラフィの復元手順に従って埋め込まれているチケットＩＤを復元する。次にステップＳ４でチケット画像を保存している携帯電話１４の電話番号を端末ＩＤとして取得する。
【００６１】
そしてステップＳ５でチケット画面から復元したチケットＩＤと端末自身から取得した端末ＩＤ、即ち電話番号を取得し、ステップＳ６でＩＤが一致すれば、ステップＳ７で入場許可コマンドを入場管理装置２６に送信する。一方、ステップＳ６でチケットＩＤと端末ＩＤが不一致の場合には、ステップＳ８で入場禁止コマンドを入場管理装置２６に送信する。
【００６２】
ここでチケット画像に埋め込まれたチケットＩＤと、チケット画像を保存している携帯電話の端末ＩＤ、即ち電話番号が不一致となるのは、チケットを購入した携帯電話１４のチケット画像を別の携帯電話に複写した場合である。
【００６３】
購入したチケット画像を別の携帯電話に複写すると、チケット画像には最初に購入したチケット購入者の携帯電話の電話番号がチケットＩＤとして埋め込まれており、このため複写先の携帯電話の携帯電話番号とは不一致となる。
【００６４】
このため図７のように入場の際に使用したアプリケーションによるチケットＩＤと端末ＩＤの取得は不一致となり、入場禁止コマンドの応答により不正な入場を防止することができる。
【００６５】
図８は、図３の入場管理装置２６の実施形態を示した機能構成のブロック図である。図８において、入場管理装置２６は通信部４４、コマンド送信部４６、ゲート制御部４８、プログラムロード部５０及びアプリケーション格納部５２を備えている。
【００６６】
コマンド送信部４６は、通信部４４を介してチケット購入者の購入するチケット画像を格納した携帯電話に対し、同時にダウンロードしたアプリケーションプログラムに対する起動コマンドを送信する。
【００６７】
ゲート制御部４８は、コマンド送信部４６からの起動コマンドより動作した図７に示したアプリケーションプログラムから入場許可コマンドを受信した際に、図３における入場ゲート３０を通行可能なゲート開またはゲートロック解除の状態に制御する。
【００６８】
またゲート制御部４８は、携帯電話１４のアプリケーション１８の実行で入場禁止コマンドを受信した場合には、入場におけるゲート制御の閉制御またはロック制御を行うこととなる。
【００６９】
プログラムロード部５０は、チケット購入者が携帯電話にロードされていない場合もあることから、この場合にはアプリケーション格納部５２からアプリケーションプログラムを読み出して、携帯電話にダウンロードする。
【００７０】
即ちチケット購入者の携帯電話にはチケット画像と同時に図２のようにチケット購入時にアプリケーション１８がダウンロードされているが、このダウンロードが正常に行われなかった場合やチケット購入後に何らかの原因によりアプリケーション１８が失われている場合を想定し、入場時にもしアプリケーションプログラムが携帯電話になかった場合には、入場管理装置２６のプログラムロード部５０からアプリケーションプログラムを携帯電話にダウンロードし、コマンド送信部４６からの起動コマンドに応答して入場に必要なチケット画像に埋め込まれたチケットＩＤの復元と照合に基づく応答ができるようにしている。
【００７１】
図９は、図８の入場管理装置２６における入場管理処理のフローチャートである。図９において、入場管理処理はステップＳ１で起動コマンドをチケット購入者の携帯電話に対し送信しており、万一、チケット購入者の携帯電話にアプリケーションプログラムがダウンロードされていない場合には、携帯電話側からアプリケーションのダウンロード要求があり、これをステップＳ２で判別すると、ステップＳ３でアプリケーションプログラムを携帯電話に送信する。
【００７２】
通常はチケット購入時にアプリケーションプログラムが携帯電話にダウンロードされていることからステップＳ３の処理は行わず、ステップＳ１の起動コマンドを送信により、チケット購入者の携帯端末において図７のアプリケーションのフローチャートに従った一連の処理が行われる。
【００７３】
この処理によりチケット購入者の携帯電話からステップＳ４で入場許可コマンドを受信すると、ステップＳ５でゲート開制御を行う。一方、入場者がチケット画像を不正に複製した場合であった時には、不正なチケット購入者の携帯電話からは入場禁止コマンドが送られ、これをステップＳ６で受信すると、ステップＳ７でゲート閉制御を行う。このようなステップＳ１〜Ｓ７の処理をステップＳ８で入場締切時間に達するまで繰り返す。
【００７４】
図１０は、図２によるチケット販売装置１０の他の実施形態であり、この実施形態にあっては、チケット購入者に対し一連番号を作成してステガノグラフィによりチケット画像に埋め込んでチケット購入者の携帯端末、例えば携帯電話に送信し、入場時に携帯電話に保存したチケット画像を利用して入場することを特徴とする。
【００７５】
図１０において、チケット販売装置１０には、通信部５４、番号作成部５６、チケット発行部５８、チケット画像格納部６０が設けられる。番号作成部５６は通信部５４よりチケット購入者の携帯電話からのチケット購入申し込みに対する口座引き落としの処理終了通知を受けると、予め準備している所定の一連番号を作成する。
【００７６】
チケット発行部５８は、チケット画像格納部６０から読み出したチケット画像に番号作成部５６で作成した一連番号をステガノグラフィにより不可視の形で埋め込み、一連番号を埋め込んだチケット画像を通信部５４よりチケット購入者の携帯電話に送信して保存させる。
【００７７】
図１１は、図１０の実施形態におけるチケット販売装置１０のフローチャートである。図１１においてステップＳ１でチケット購入者の携帯電話を使用したチケット販売装置１０に対するアクセス、具体的にはチケット販売装置１０を構成するサーバのサイトに対するアクセスがあり、このアクセスを受けて購入申し込みを受けると、ステップＳ２でチケット価格以上のチケット購入者の口座残高があれば、ステップＳ３でチケット代金の口座引き落としを行う。引き落とし残高が不足していればステップＳ７でエラーメッセージを送信する。
【００７８】
ステップＳ３でチケット代金の引き落としが済むと、ステップＳ４で固有の一連番号を作成し、この一連番号をステップＳ５でステガノグラフィによりチケット画像に埋め込み、ステップＳ６でチケット画像をチケット購入者の携帯電話に送信して保存させる。
【００７９】
図１２は、図３における入場管理装置２６の他の実施形態の機能構成のブロック図であり、図８のチケット販売装置１０から購入したチケットによる入場管理を行う。
【００８０】
図１２において、入場管理装置２６には、通信部６２、コマンド送信部６４、画像取込部６６、番号復元部６８、ゲート制御部７０及び発行番号記憶部７２が設けられている。コマンド送信部６４は通信部６２を介してチケット購入者の携帯電話に対し、起動コマンドを送信している。
【００８１】
この起動コマンドを受けたチケット購入者の携帯端末は入場管理装置２６に自動的にアクセスする。このチケット購入者の携帯電話からのアクセスに対し、画像取込部６６が通信部６２を介してチケット購入者の携帯電話に保存しているチケット画像を取り込む。
【００８２】
番号復元部６８は、画像取込部６６で取り込んだチケット画像を対象にステガノグラフィにより埋め込まれている一連番号を復元する。ゲート制御部７０は、番号復元部６８で復元した一連番号を発行番号記憶部７２に記憶している発行済みの一連番号と検索して照合し、発行済み番号との照合一致が得られれば図３に示す入場ゲート３０の開閉制御もしくはロック解除制御を行う。
【００８３】
図１３は、図１２の入場管理装置２６による入場管理処理のフローチャートである。この入場管理処理は、ステップＳ１でチケット購入者の携帯電話に対し起動コマンドを送信しており、ステップＳ２で起動コマンドの受信をした携帯端末からアクセス応答があると、ステップＳ３でチケット購入者の携帯端末に保存しているチケット画像を取り込む。
【００８４】
続いてステップＳ４でチケット画像にステガノグラフィにより埋め込まれている一連番号をステガノグラフィ復元プログラムにより復元し、ステップＳ５で発行済みの一連番号と照合し、ステップＳ６で一致する発行番号が検索できれば、ステップＳ７でゲート開制御を行う。一方、発行済み一連番号と一致検索が出来なければステップＳ８でゲート閉制御を行う。このようなステップＳ１〜Ｓ８処理をステップＳ９で入場締切時間まで繰り返す。
【００８５】
この図１０乃至図１３の一連番号をチケット画像に埋め込んで、入場の際にチェックする処理にあっては、チケット画像にステガノグラフィによる不可視の形で一連番号が埋め込まれることから、チケット画像のデザインがチケット識別の一連番号により損なわれることはない。
【００８６】
また一連番号をステガノグラフィにより埋め込まれたチケット画像をチケット購入者の携帯電話から別の携帯電話に複写して不正に使用しようとする場合にも、チケット画像そのものにチケット照合に使用する番号やバーコードなどの認証コードが表示されておらず、このような認証コードのないチケット画像を複製しても入場できないのではないかと思わせるようにしている。このため認証コードが表示されていないチケット画像をあえて複製して使用するような不正使用を未然に防止することが期待できる。
【００８７】
尚、上記の実施形態にあってはチケットを購入する端末として携帯電話を例にとるものであったが、これ以外にＰＤＡなどの適宜の携帯型端末機器に適用することができる。
【００８８】
また本発明はその目的と利点を損なわない適宜の変形を含み、更に上記の実施形態に示した数値による限定は受けない。
【００８９】
（付記）
（付記１）
携帯端末からのチケット購入要求に対し代金引き落とし処理を完了した際に、前記携帯端末の端末ＩＤを取得するＩＤ取得部と、
前記端末ＩＤをチケットＩＤとして電子的なチケット画像に埋め込んで前記携帯端末に送信するチケット発行部と、
前記チケット画像に埋め込んだチケットＩＤに基づいた入場処理を実行するアプリケーションプログラムを前記携帯端末にロードするプログラムロード部と、
を備えたことを特徴とするチケット販売装置。（１）
【００９０】
（付記２）
付記１記載のチケット販売装置に於いて、前記チケット発行部は、前記端末ＩＤをステガノグラフィを用いて電子的なチケット画像に不可視の形で埋め込むことを特徴とするチケット販売装置。
【００９１】
（付記３）
付記１記載のチケット販売装置に於いて、前記プログラムロード部により携帯端末にロードするアプリケーションプログラムは、外部からの起動コマンドを受けて動作し、前記チケット画像に埋め込まれたチケットＩＤと前記携帯端末の端末ＩＤを比較し、利用者が一致した場合に入場許可応答を外部に送信する処理を実行することを特徴とするチケット販売装置。
【００９２】
（付記４）
付記１記載のチケット販売装置に於いて、前記携帯端末は携帯電話であり、前記チケット発行部は、前記携帯電話の電話番号をチケットＩＤとして取得して電子的なチケット画像に埋め込むことを特徴とするチケット販売装置。
【００９３】
（付記５）
チケットＩＤを埋め込んだ電子的なチケット画像を保存すると共に、前記チケット画像に埋め込んだチケットＩＤに基づいた入場処理を実行するアプリケーションプログラムをロードした携帯端末とのアクセスで入場を管理する入場管理装置に於いて、
前記携帯端末に対しアプリケーションプログラムの起動コマンドを送信するコマンド送信部と、
前記携帯端末におけるアプリケーションプログラムの実行による入場許可応答を受信した際に、入場ゲートを通行可能状態に制御するゲート制御部と、
を備えたことを特徴とする入場管理装置。（２）
【００９４】
（付記６）
付記５記載の入場管理装置に於いて、更に、前記携帯端末にアプリケーションプログラムがロードされていないことを認識した場合、前記アプリケーションプログラムを前記携帯端末にロードした後に前記コマンド送信部に起動コマンドを送信させるプログラムロード部を設けたことを特徴とする入場管理装置。
【００９５】
（付記７）
携帯端末からのチケット購入要求に対する代金引落し処理を完了した際に、所定のチケット一連番号を作成する番号作成部と、
前記チケット一連番号をステガノグラフィにより不可視の形で電子的なチケット画像に埋め込んで前記携帯端末に送信するチケット発行部と、
を備えたことを特徴とするチケット販売装置。（３）
【００９６】
（付記８）
チケット一連番号をステガノグラフィにより不可視の形で埋め込んだ電子的なチケット画像を保存した携帯端末とのアクセスで入場を管理する入場管理装置に於いて、
前記携帯端末の画面に表示されたチケット画像を読み取る画像読取部と、
前記読み取ったチケット画像にステガノグラフィにより埋め込まれている一連番号を復元する番号復元部と、
前記復元した一連番号が正しいことを認証して入場ゲートを通行可能状態に制御するゲート制御部と、
を備えたことを特徴とする入場管理装置。（４）
【００９７】
（付記９）
ＩＤ取得部により携帯端末からのチケット購入要求に対し代金引き落とし処理を完了した際に、前記携帯端末の端末ＩＤを取得するＩＤ取得ステップと、
チケット発行部により前記端末ＩＤをチケットＩＤとして電子的なチケット画像に埋め込んで前記携帯端末に送信するチケット発行ステップと、
プログラムロード部により前記チケット画像に埋め込んだチケットＩＤに基づいた入場処理を実行するアプリケーションプログラムを前記携帯端末にロードするプログラムロードステップと、
を備えたことを特徴とするチケット販売方法。
【００９８】
（付記１０）
付記９のチケット販売方法に於いて、前記チケット発行ステップは、前記端末ＩＤをステガノグラフィを用いて電子的なチケット画像に不可視の形で埋め込むことを特徴とするチケット販売方法。
【００９９】
（付記１１）
付記９記載のチケット販売方法に於いて、前記プログラムロードステップで携帯端末にロードするアプリケーションプログラムは、外部からの起動コマンドを受けて動作し、前記チケット画像に埋め込まれたチケットＩＤと前記携帯端末の端末ＩＤを比較し、利用者が一致した場合に入場許可応答を外部に送信する処理を実行することを特徴とするチケット販売方法。
【０１００】
（付記１２）
付記９記載のチケット販売方法に於いて、前記携帯端末は携帯電話であり、前記チケット発行ステップは、前記携帯電話の電話番号をチケットＩＤとして取得して電子的なチケット画像に埋め込むことを特徴とするチケット販売方法。
【０１０１】
（付記１３）
チケットＩＤを埋め込んだ電子的なチケット画像を保存すると共に、前記チケット画像に埋め込んだチケットＩＤに基づいた入場処理を実行するアプリケーションプログラムをロードした携帯端末とのアクセスで入場を管理する入場管理方法に於いて、
コマンド送信部により前記携帯端末に対しアプリケーションプログラムの起動コマンドを送信するコマンド送信ステップと、
ゲート制御部により前記携帯端末におけるアプリケーションプログラムの実行による入場許可応答を受信した際に、入場ゲートを通行可能状態に制御するゲート制御ステップと、
を備えたことを特徴とする入場管理方法。
【０１０２】
（付記１４）
付記１３記載の入場管理方法に於いて、更に、アプリケーションロード部により前記携帯端末にアプリケーションプログラムがロードされていないことを認識した場合、前記アプリケーションプログラムを前記携帯端末にロードした後に前記コマンド送信部に起動コマンドを送信させるプログラムロードステップを設けたことを特徴とする入場管理方法。
【０１０３】
（付記１５）
番号作成部により携帯端末からのチケット購入要求に対する代金引落し処理を完了した際に、所定のチケット一連番号を作成する番号作成ステップと、
チケット発行部により前記チケット一連番号をステガノグラフィにより不可視の形で電子的なチケット画像に埋め込んで前記携帯端末に送信するチケット発行ステップと、
を備えたことを特徴とするチケット販売方法。
【０１０４】
（付記１６）
チケット一連番号をステガノグラフィにより不可視の形で埋め込んだ電子的なチケット画像を保存した携帯端末とのアクセスで入場を管理する入場管理方法に於いて、
画像読取部により前記携帯端末の画面に表示されたチケット画像を読み取る画像読取ステップと、
番号復元部により前記読み取ったチケット画像にステガノグラフィにより埋め込まれている一連番号を復元する番号復元ステップと、
ゲート制御部により前記復元した一連番号が正しいことを認証して入場ゲートを通行可能状態に制御するゲート制御ステップと、
を備えたことを特徴とする入場管理方法。
【０１０５】
（付記１７）
コンピュータに、
携帯端末からのチケット購入要求に対し代金引き落とし処理を完了した際に、前記携帯端末の端末ＩＤを取得するＩＤ取得ステップと、
前記端末ＩＤをチケットＩＤとして電子的なチケット画像に埋め込んで前記携帯端末に送信するチケット発行ステップと、
前記チケット画像に埋め込んだチケットＩＤに基づいた入場処理を実行するアプリケーションプログラムを前記携帯端末にロードするプログラムロードステップと、
を実行させることを特徴とするプログラム。（５）
【０１０６】
（付記１８）
付記１７記載のプログラムに於いて、前記チケット発行ステップは、前記端末ＩＤをステガノグラフィを用いて電子的なチケット画像に不可視の形で埋め込むことを特徴とするプログラム。
【０１０７】
（付記１９）
付記１７記載のプログラムに於いて、前記プログラムロードステップで携帯端末にロードするアプリケーションプログラムは、前記携帯端末のコンピュータに、外部からの起動コマンドを受けて動作し、前記チケット画像に埋め込まれたチケットＩＤと前記携帯端末の端末ＩＤを比較し、利用者が一致した場合に入場許可応答を外部に送信する処理を実行させることを特徴とするプログラム。
【０１０８】
（付記２０）
付記１７記載のプログラムに於いて、前記携帯端末は携帯電話であり、前記チケット発行ステップは、前記携帯電話の電話番号をチケットＩＤとして取得して電子的なチケット画像に埋め込むことを特徴とするプログラム。
【０１０９】
（付記２１）
チケットＩＤを埋め込んだ電子的なチケット画像を保存すると共に、前記チケット画像に埋め込んだチケットＩＤに基づいた入場処理を実行するアプリケーションプログラムをロードした携帯端末とのアクセスで入場を管理するコンピュータに、
前記携帯端末に対しアプリケーションプログラムの起動コマンドを送信するコマンド送信ステップと、
前記携帯端末におけるアプリケーションプログラムの実行による入場許可応答を受信した際に、入場ゲートを通行可能状態に制御するゲート制御ステップと、
を実行させることを特徴とするプログラム。
【０１１０】
（付記２２）
付記２１記載のプログラムに於いて、更に、前記携帯端末にアプリケーションプログラムがロードされていないことを認識した場合、前記アプリケーションプログラムを前記携帯端末にロードした後に前記コマンド送信部に起動コマンドを送信させるアプリケーションロードステップを実行させることを特徴とするプログラム。
【０１１１】
（付記２３）
コンピュータに、
携帯端末からのチケット購入要求に対する代金引落し処理を完了した際に、所定のチケット一連番号を作成する番号作成ステップと、
前記チケット一連番号をステガノグラフィにより不可視の形で電子的なチケット画像に埋め込んで前記携帯端末に送信するチケット発行ステップと、
を実行させることを特徴とするプログラム。
【０１１２】
（付記２４）
チケット一連番号をステガノグラフィにより不可視の形で埋め込んだ電子的なチケット画像を保存した携帯端末とのアクセスで入場を管理するコンピュータに、
前記携帯端末の画面に表示されたチケット画像を読み取る画像読取部と、
前記読み取ったチケット画像にステガノグラフィにより埋め込まれている一連番号を復元する番号復元ステップと、
前記復元した一連番号が正しいことを認証して入場ゲートを通行可能状態に制御するゲート制御ステップと、
を実行させることを特徴とするプログラム。
【０１１３】
【発明の効果】
以上説明してきたように本発明によれば、端末ＩＤをチケットＩＤとしてチケット画像に埋め込んで端末に保存させるため、入場時にチケット画像に埋め込まれたチケットＩＤと端末のＩＤが一致することを条件に入場を許可することとなり、購入したチケット画像を複製して使用する場合にはチケットＩＤと端末ＩＤが不一致となることで、不正使用を確実に防止することができる。
【０１１４】
またチケット画像にステガノグラフィを用いてチケットＩＤ（チケット購入時端末ＩＤ）を不可視の形で埋め込むことでチケットＩＤの認証コードによりチケット画面のデザインを損なうことを防止できる。
【０１１５】
また本発明の別の形態にあっては、チケット購入の一連番号をステガノグラフィによる不可視の形でチケット画像に埋め込んで、購入者の携帯端末に送って入場時に使用するようにしており、チケット画面のデザインを損なうことを防止できる。また、この場合にはチケット画像の複製による不正使用を防ぐことはできないが、チケット画像に通常は表示されている認証コードあるいはバーコードが表示されないことから、複製したチケット画像には認証コードがないため、入場できないのではないかとの懸念を持たせ、これによってチケット画像の複製による不正そのものをあきらめさせることが可能である。
【図面の簡単な説明】
【図１】本発明の原理説明図
【図２】本発明のチケット販売装置を備えたシステム環境の説明図
【図３】本発明の入場管理装置を備えたシステム環境の説明図
【図４】本発明のチケット販売装置および入場管理装置を実現するハードウェア資源の説明図
【図５】図２によるチケット販売装置の実施形態のブロック図
【図６】図５の実施形態によるチケット販売処理のフローチャート
【図７】図５のチケット販売装置が端末側にロードするアプリケーションのフローチャート
【図８】図３による入場管理装置の実施形態のブロック図
【図９】図８の実施形態による入場管理処理のフローチャート
【図１０】図２によるチケット販売装置の他の実施形態のブロック図
【図１１】図１０の実施形態によるチケット販売処理のフローチャート
【図１２】図３による入場管理装置の他の実施形態のブロック図
【図１３】図１２の実施形態による入場管理処理のフローチャート
【符号の説明】
１０：チケット販売装置
１２：通信ネットワーク
１４：携帯電話
１６：チケット販売処理部
１８：アプリケーション
２０：ディスプレイ
２２：操作部
２４：カメラ
２６：入場管理装置
２８：入場管理処理部
３０：入場ゲート
３２，４４，５４，６２：通信部
３４：ＩＤ取得部
３６，５８：チケット発行部
３８，６０：チケット画像格納部
４０，５０：プログラムロード部
４２，５２：アプリケーション格納部
４６，６４：コマンド送信部
４８，７０：ゲート制御部
５６：番号作成部
６６：画像取込部
６８：番号復元部
７２：発行番号記憶部
【図１】
2004094468.tif 000003
【図２】
2004094468.tif 000004
【図３】
2004094468.tif 000005
【図４】
2004094468.tif 000006
【図５】
2004094468.tif 000007
【図６】
2004094468.tif 000008
【図７】
2004094468.tif 000009
【図８】
2004094468.tif 000010
【図９】
2004094468.tif 000011
【図１０】
2004094468.tif 000012
【図１１】
2004094468.tif 000013
【図１２】
2004094468.tif 000014
【図１３】
2004094468.tif 000015